Podtech/llm-jp-corpus-v4-ja_patent huggingface dataset:
(57)【要約】      （修正有）【課題】家庭用の浴槽に簡易に取り付け、母と子が一緒に、各々、適切な湯温に入浴することができる浴槽取付型ベビーバスを提供する。【解決手段】ベビーバス本体の左右に、浴槽を水平方向に横断するよう設けた摺動管６と、これらの摺動管６に摺動可能ができる棒７が挿入され、その棒７が摺動管６内を摺動することにより棒７の露出部の長さが浴槽１にあう長さに調節した時に、これらの棒７をそれぞれ固定する止めネジ５を閉める。グラグラしないか確認後、ベビーバス本体２を摺動管６に載せるよう取り付ける。ベビーバス２に子に適した温度の湯を入れ、母が半身浴をしながら子の洗体などを行なう。【選択図】図１
0003152564.tif 000002
【実用新案登録請求の範囲】
【請求項１】
ベビーバス本体の左右に、浴槽を水平方向に横断するようにして設けた摺動管と、これらの摺動管に摺動可能ができる棒が挿入され、その端が外部に露出し、摺動管内を摺動することによって露出部の長さが調節される棒と、露出部の長さが調節された時に、これらの棒を摺動管にそれぞれ固定する止め部と、この棒の先端にそれぞれ設けたゴム部とから構成されることを特徴とする浴槽取り付け型ベビーバス。
【考案の詳細な説明】
【技術分野】
【０１】  本考案は、ベビーバス本体の左右に摺動管とその管に摺動可能ができる棒が挿入され、その長さを調整できるベビーバスに関するものである。
【背景技術】
【０２】  冬場など、母子ともに一緒に入浴する際、子の湯温にあわせて母が入る為、母が寒い思いをしていた。
【考案の概要】
【考案が解決しようとする課題】
【０３】  母子の別々の入浴は母の時間的、労働的負担が大きい。さらに母自身が一人で入浴してる間、子を一人にしておくなど、精神的負担にもなる。従って、浴槽にベビーバスを簡易に取り付けることにより、一緒に別々の湯温の湯船に入ることができるようになり、母子のコミュニケーションを図ることができ、前述の点を解決しようとするものである。
【課題を解決するための手段】
【０４】  本考案は、ベビーバス本体の左右に摺動管とその管に摺動可能ができる棒を設け、その棒が摺動管内を摺動することにより、家庭の浴槽に簡易に取り付けることができ、且つ、摺動管の一部ならびに摺動管内を摺動する棒の一部には滑り止め用のゴムを設けており脱落防止をすることにより問題点を解決している。
【考案の効果】
【０５】  上述の様に、本考案の浴槽取り付け型ベビーバスは母と子が各々、適切な湯温に入浴することができ、母は半身浴をしながら子の体などを洗うことができるようになり、母子のコミュニケーションを図ることとしても役立つ。
【図面の簡単な説明】
【０６】
【図１】本考案の浴槽取り付け型ベビーバスの一実施例を示す上図である。
【図２】本考案の浴槽取り付け型ベビーバスの一実施例を示す横図である。
【図３】本ベビーバスの一部切欠断面図である。
【図４】摺動管ならびに摺動部分の図である。
【考案を実施するための最良の形態】
【０７】  ベビーバス本体の左右に摺動管とその管に摺動可能ができる棒を設け、その棒が摺動管内を摺動し、大人用の浴槽にあうように摺動させる。長さ調節部分の左右の止めネジを閉める。グラグラしないか確認後、ベビーバスを摺動管に載せるように取り付ける。
【実施例】
【０８】  以下、添付図面に従って一実施例を説明する。図１のようにベビーバス本体の左右に、浴槽を水平方向に横断するよう設けた摺動管６と、これらの摺動管６に摺動可能ができる棒７が挿入され、その棒７が摺動管６内を摺動することにより棒７の露出部の長さが浴槽１にあう長さに調節した時に、これらの棒７をそれぞれ固定する止めネジ５を閉める。
グラグラしないか確認後、ベビーバス本体２を摺動管６に載せるよう取り付ける。ベビーバス２に子に適した温度の湯を入れ、母が半身浴をしながら子の洗体などを行なう。【０９】  本考案の一実施例は上述の如き構成からなるものであるから、ベビーバス本体２を摺動管６ら取り外し、台所などでベビーバスとして使用することは勿論である。
【符号の説明】
【１０】  １  大人用の浴槽
２  ベビーバス本体
３  ゴム状の素材にて表面を覆い一体化形成された摺動管
４  長さ調節部分
５  止めネジ
６  摺動管
７  摺動可能な棒
８  ゴム状の素材にて表面を覆い一体化形成された摺動可能な棒
【図１】
0003152564.tif 000003
【図２】
0003152564.tif 000004
【図３】
0003152564.tif 000005
【図４】
0003152564.tif 000006
(57)【要約】      （修正有）【課題】置き方や箸の形状に関係なく、箸の先端部を浮かして、テーブル表面等に触れないようにした、衛生的な箸を提供する。【解決手段】箸中幹部２を、箸後端部３より太く形成し、箸柄本体５の形状が、箸中幹部２から箸後端部３にかけて、少しテーパーに加工して設ける。また箸中幹部２から延ばした、箸先端部１に滑止キリ溝を設ける。【選択図】図１
0003152565.tif 000002
【実用新案登録請求の範囲】
【請求項１】
箸中幹部（２）を、箸後端部（３）より太く形成し、箸柄本体（５）の形状を、箸中幹部（２）から箸後端部（３）にかけて、少しテーパーに加工して設ける、また箸中幹部（２）から延ばした、箸先端部（１）に滑止キリ溝（６）を設け、箸先端部（１）が食卓机表面（４）より浮いて、無接触で置ける特徴を持った、清潔な衛生箸。
【考案の詳細な説明】
【技術分野】
【０００１】  本考案は、箸を置いた時に、その先端部がテーブル等の表面に、接触出来ないように工夫した技術に関するものである。
【背景技術】
【０００２】  古来、箸は食生活に欠かせないものであり、また伝統的な生活必需品でもある。それだけに、衛生面には十分に気を付けなければならない。
【考案の開示】
【考案が解決しようとする課題】
【０００３】  しかしながら、毎日使われる箸でありながら、各家庭ではテーブル等には日常、箸の先端部を含めて、その表面に接触させた、べた置きにされがちであり、またレストラン等に置いては  わざわざ箸置きを用意して、箸の先端部を乗せるようにしている。
最近では、特開２００１−２５８７１４のごとく、箸置きを使わずに、箸の先端部を浮かせる手段として、箸の中央付近に輪状の支持台を挿入してるものが開示されている。
これらは箸置きを用意したり、リング状のものを挿入したりで面倒であり、デザインも悪いものになってしまう。
本考案は、このような箸の衛生的な面等、含めて改善する為に、なされたものである。
【課題を解決するための手段】
【０００４】  これらの課題を解決する手段として、まず箸の先端部が、どんな置き方をしても、また、箸の形が丸箸、四角箸、六角箸、三角箸であろうが、その形状に関係なく箸先端部（１）がテーブル等表面に無接触で、浮いている状態にする事である。【０００５】  その手段として、箸中幹部（２）を、箸後端部（３）より太く形成する。これにより箸柄本体（５）の形状は、箸中幹部（２）から箸後端部（３）にかけて、少しテーパーに加工される。つまり、図１のごとく、無意識に置いても、箸中幹部（２）から箸先に延ばした、箸先端部（１）は、食卓机表面（４）より浮いて未接触になるのは当然である。さらにまた、箸の最先端に食材を挟んだときに、取り易くするために、滑止キリ溝（６）を設ける。
【考案の効果】
【０００６】  ほんの少しの工夫によって、箸の良いデザインを保ちながらも、使い勝手も良く、特に食卓テーブル等の表面に、箸の先端が接触しないので、非常に清潔になり、食生活の衛生面の向上に役立。またコスト面に於いても、従来の箸と、ほとんど同じに製造できる。
【考案を実施するための最良の形態】
【０００７】  本考案は実施する上で、最良の形態としてはベースとなる工夫より形成されているまず、箸中幹部（２）を、箸後端部（３）より太く形成することに尽きるのである。いままでの箸は、箸後端部から箸先端部まで平行に加工されており、食卓机表面（４）には置かれた、箸先端部（１）が常時ついてしまう。だが本考案では、図面のごとくに箸柄本体（５）の形状が、箸中幹部（２）から箸後端部（３）にかけて、少しテーパーに加工されて設けられているので、箸先端部（１）は食卓机表面（４）から無接触で浮いた状態になる。さらにまた箸中幹部（２）から延ばした、箸先端部（１）は、食材を挟み取るのに使うので、その滑り止めに、滑止キリ溝（６）を設ける。
【図面の簡単な説明】
【０００８】
【図１】  本考案の角箸の斜視図である。
【図２】  本考案の丸箸の斜視図である。
【図３】  従来の箸の斜視図である。
【符号の説明】
【０００９】  １箸先端部
２箸中幹部
３箸後端部
４食卓机表面
５箸柄本体
６滑止キリ溝
７平行加工
８表面にベタ置き
９無接触浮き
【図１】
0003152565.tif 000003
【図２】
0003152565.tif 000004
【図３】
0003152565.tif 000005
(57)【要約】      （修正有）【課題】パレットの荷台を二重にし、上面の一端に切り込みを設け、長方形フラット状パレットカバーを当該切り込みに貼付し、前記パレットカバーの左右両端に芯を取り付けてパレットと一体化し、荷崩れを防止するパレットカバー付パレットを提供する。【解決手段】パレット２の荷台の切り込みに、長方形フラット状パレットカバー１を貼付し、当該パレットカバー１の左右両端に取り付けられた厚紙等適宜素材の芯５、５’を荷物６に左右から当てがい、芯５、５’を重ねて手前に引っ張りながら、当該パレットカバー１の余分な部分を巻き取り絞り込み、芯５、５’の下部先端をパレット２のミゾ４に差し込んで、荷物６をパレット２に固定し、パレットカバー１の上部の余った部分を荷物６の上面に折り畳んでカバーすることにより、荷崩れ防止と防塵に役立つ。【選択図】図３
0003152553.tif 000002
【実用新案登録請求の範囲】
【請求項１】
パレットの荷台の面を二重にして、上側の面の一端に切り込みを設け、当該切り込みにパレットカバーを貼付して、パレットとパレットカバーを一体化した、パレットカバー付きパレット。
【請求項２】
樹脂フィルム等適宜素材のフラット状長方形に成形したパレットカバーの左右両端に、厚紙等適宜素材の芯を取り付け、パレットに積載した荷物の左右両側から、当該パレットカバーを当てがい、左右両端の芯を重ねて当該パレットカバーの余分な部分を巻き取って絞り込むようにした、請求項１のパレットカバー付きパレット。
【請求項３】
パレットの荷台上面の手前中央にミゾを設け、前記パレットカバーの両端の芯で当該パレットカバーの余分な部分を巻き取って絞り込み、当該両端の芯の下部先端を重ねて当該ミゾに差し込んで、パレットに積載した荷物をパレットに固定するようにした請求項１のパレットカバー付きパレット。
【考案の詳細な説明】
【技術分野】
【０００１】  本考案は、長方形のフラット状に成形したパレットカバーをパレットに貼付して、パレットとパレットカバーを一体化した、パレットカバー付きパレットに関するものである。
【背景技術】
【０００２】  従来、パレットに積載した荷物の荷崩れ防止には、ストレッチフィルムを荷物に巻き付ける方法が一般的であったが、作業者が荷物の周囲をストレッチフィルムを抱えて、ぐるぐる歩き回るという、少なからず身体的苦痛を伴う作業であった。【０００３】  また、ストレッチフィルムは、荷物の側面だけを包帯巻きにするだけで、上面を覆い被せることができないので、防塵の役目は果たせなかった。【０００４】  そこで、袋状のパレットカバーを荷物の上から被せて使用することが考えられたが、従来の袋状パレットカバーは、パレットと別々になっていて接点がないので、パレットに積載した荷物が、ずれ落ちる恐れがあった。【０００５】  また、従来の袋状パレットカバーは荷物の上から被せなければならず、袋状パレットカバーの四隅を広げるのが困難で、作業者一人では仕事ができにくい難点があった。【０００６】  また、従来のパレットカバーは必ずしも荷物のサイズと一致せず、しかも絞り込みができないので、運送移動時にパレットカバーの中で荷物が踊って荷崩れする心配があった。
【考案の開示】
【考案が解決しようとする課題】
【０００７】  本考案は、パレットカバーをパレットに貼付して、上述の欠点を解決しようとするものである。
【課題を解決するための手段】
【０００８】  本考案は、パレットの荷台の面を二重にし、上側の面の一端に切り込みを設け、当該切り込みにパレットカバーを貼付して、パレットとパレットカバーを一体化する。【０００９】  本考案は、樹脂フィルム等適宜素材で長方形のフラット状に成形したパレットカバーの左右両端に、厚紙等適宜素材の芯を取り付けて、パレット積載の荷物の側面に左右から当てがい、左右両端の当該芯を重ねて手前に引っ張りながら、当該パレットカバーの余分な部分を巻き取り絞り込んで荷物を束ねるようにした。【００１０】  本考案は、パレットの荷台の上側の面の手前中央にミゾを設けて、パレットカバーの余分な部分を巻き取り絞り込んだのち、当該パレットカバー両端の芯の下部先端を、当該パレットの荷台のミゾに差し込んで荷物をパレットに固定する。【００１１】  本考案は、上述の作業のあと、当該パレットカバーの上部を荷物の上面に折り畳んで覆い被せ、荷物の防塵の役目も果たす。
【考案の効果】
【００１２】  本考案のフラット状パレットカバーは荷物にセットし易く、パレットと一体化されていて、絞り込みも可能で、運送移動時の荷物の荷崩れや、ずれの心配もなく、荷物の上面を覆う構造のため防塵の効果も果たせる。
【考案を実施するための最良の形態】
【００１３】  本考案のパレットカバーの左右両端に取り付けた芯でパレットカバーの余分な部分を巻き取って絞り込んだあと、当該芯をパレットのミゾに差し込んで、絞り込んだパレットカバーが弛るまないようにして荷物を安定させる。
【実施例】
【００１４】  以下、添付図に従って実施例を説明する。パレット２の荷台の面を二重にし、上側の面の一端に切り込み３を設け、当該切り込み３にパレットカバー１を貼付して、パレットカバー１とパレット２を一体化し、荷物６の側面にパレットカバー１を左右から当てがい、パレットカバー１の両端に取り付けられた芯５、５’を重ねて、手前に引っ張りながら当該パレットカバー１の余分な部分を巻き取り、芯５、５’の下部先端をパレット２のミゾ４に差し込み、かつパレットカバー１の上部の余った部分を荷物６の上面に畳み込んで覆い被せることにより、荷物６の運送移動時の安定と防塵の効果を得ることができる。
【図面の簡単な説明】
【００１５】
【図１】本考案のパレットにパレットカバーを貼付した斜視図である。
【図２】本考案の実施例を示す斜視図である。
【図３】本考案の使用中の斜視図である。
【符号の説明】
【００１６】    １はパレットカバー
２はパレット
３は切り込み
４はミゾ
５、５’は芯
６は荷物
【図１】
0003152553.tif 000003
【図２】
0003152553.tif 000004
【図３】
0003152553.tif 000005
(57)【要約】      （修正有）【課題】改葬して新たに建立した墓、また新たな納骨堂に、故郷の先祖代々継承されてきた墓のことが全て分かる陶板製墓誌を提供する。【解決手段】故郷の先祖代々継承されてきた墓の写真を陶板に焼き付け、更には墓の詳細、謂れ等をも記し、焼成したことを特徴とする。【選択図】図１
0003152552.tif 000002
【実用新案登録請求の範囲】
【請求項１】
墓移転、改葬時において、移転する墓の写真を撮り、当該写真を陶板の一面に焼き付けると共に、移転、改葬する墓の詳細、謂れ等を共に書き込み焼成したことを特徴とする陶板製墓誌。
【考案の詳細な説明】
【技術分野】
【０００１】  本考案は、墓の移転、改葬時に、改葬前の墓の写真、また墓の詳細、謂れ等を書き込み焼成してなる陶板製墓誌に関するものである。
【背景技術】
【０００２】  近年、故郷に先祖の墓を残して都会で生活している人は多い。そのため故郷にある墓地では当該墓が無縁墓と同じようになって荒れ果てていることもある。【０００３】  このような故郷に残している墓を自分の住んでいる地に移転、改葬しようとする動きもあるが、住んでいる土地が都会であれば、新たに墓を作ることが難事であり、そのような問題を解決せんとして最近では内部に多数のロッカー式納骨室を有する納骨堂が建立されている。【０００４】  しかし、故郷の墓を整理し、当該墓に埋葬されている遺骨は骨つぼに入れて新しい納骨堂に収めること、また新たな墓を建立することは容易であるが、移転、改葬した時点で、故郷の土地に先祖代々継承されてきた墓が、一つの骨つぼに収まって新しい墓または納骨堂に改葬されるとはいえ、昔からの墓の姿が消えてしまうという問題があった。
【考案の開示】
【考案が解決しようとする課題】
【０００５】  改葬して新たに建立した墓、また新たな納骨堂に、故郷の先祖代々継承されてきた墓のことが全て分かるような墓碑を固着または骨つぼと一緒に入れること、これが考案が解決しようとする課題である。
【課題を解決するための手段】
【０００６】  故郷の先祖代々継承されてきた墓の写真を陶板に焼き付け、更には所在地、墓の詳細、謂れ等をも記し、当該陶板を見れば、故郷にあった墓のことが全て分かるようにすること、これが課題を解決するための手段である。
【考案の効果】
【０００７】  本考案は、墓移転、改葬時において、移転する墓の写真を撮り、当該写真を陶板の一面に焼き付けると共に、移転、改葬する墓の詳細、謂れ等を共に書き込み焼成したことを特徴とする陶板製墓誌であるから、従来、故郷で管理されることなく荒れ果てていた先祖代々の墓を移転、改葬しても、その墓が故郷の墓地ではどのような状態にあったのかは不明であったが、本考案においては、陶板に故郷の墓の写真を焼きつけ、また墓の謂れ等を詳細に記し焼成することによって、改葬された墓或いは供養塔等に固着された陶板、または納骨堂に骨つぼと共に収められた陶板を見れば、墓の歴史を理解することができ、しかもその記録は陶板と共に半永久に保存されるという誠に顕著なる実用的効果を有するものである。
【考案を実施するための最良の形態】
【０００８】  墓移転、改葬時において、移転する墓の写真を撮り、当該写真を陶板の一面に焼き付けると共に、移転、改葬する墓の詳細、謂れ等を共に書き込み焼成したことを特徴とする陶板製墓誌を呈せんとするものである。
【実施例１】
【０００９】  陶板は即ち本実施例においては磁器板（セラミックス）となるが以後の説明においては陶板墓誌１と言う。陶板製墓誌１に、移転する墓の写真２をシルクスクリーン印刷や４色分解フィルムにより印刷し、また移転、改葬する墓の詳細、謂れ等３を書き込んだ後、ガラス質で表面を覆い、８００〜１２５０℃の高温で焼成する。焼成することにより、陶板と印刷面が非常に硬いガラス質に覆われ、高耐久性の画像が得られる。磁器板としては、軽量強化磁器とすれば、焼成時の変形も少なく強度も得られる。陶板製墓誌１の大きさ、形状、材質等に限定を受けるものではない。また印刷方法についても限定は受けない。【００１０】  陶板製墓誌１に印刷する写真２は、故郷の墓のほかに、当該墓の所在した墓地の写真等でもよく、また墓の詳細のほかに、墓の所在地、墓があった寺院名、改葬する場所、改葬者等の詳細を記してもよい。【００１１】  陶板製墓誌１は、改葬された墓または供養塔等に接着、螺着等、適宜の方法で固着するものであるが、墓を建立せずに納骨堂に収める場合には、骨つぼと一緒に当該陶板製墓誌１を納骨室に収めてよい。【００１２】  他の実施例としては、陶板製墓誌１を写真のみ焼き付けた陶板とし、当該陶板を改葬する墓、供養塔或いは霊標に固着し、墓の詳細、謂れ、墓の所在地、墓があった寺院名、改葬する場所、改葬者等の墓誌は墓、供養塔或いは霊標の石材に刻設している。【００１３】  陶板製墓誌１には写真２とか詳細３以外に、家紋を焼き付けることも可能であり、また仏像とか般若心経を記すことも可能である。
【産業上の利用可能性】
【００１４】  本考案は、墓移転、改葬時において、移転する墓の写真２を撮り、当該写真２を陶板の一面に焼き付けると共に、移転、改葬する墓の詳細、謂れ３等を共に書き込み焼成したことを特徴とする陶板製墓誌１であるから、従来、故郷で管理されることなく荒れ果てていた先祖代々の墓を移転、改葬しても、その墓が故郷の墓地ではどのような状態にあったのかは不明であったが、本考案においては、陶板製墓誌１に故郷の墓の写真を焼きつけ、また墓の謂れ等を詳細に記し焼成することによって、改葬された墓とか納骨堂の陶板製墓誌１を見れば、墓の歴史を理解することができ、しかもその記録は陶板製墓誌１と共に半永久に保存される。しかもこのように従来は存在しなかった陶板製墓誌１の開発で陶磁器業界においても新たな商品ということになり、当業界においても効果は大きく利用可能性は極めて大である。
【図面の簡単な説明】
【００１５】
【図１】  本考案に係る陶板製墓碑の平面図。
【図２】  陶板製墓誌を固着した状態を示す側面図。
【符号の説明】
【００１６】  １  陶板製墓誌
２  写真
３  墓の詳細書き込み
【図１】
0003152552.tif 000003
【図２】
0003152552.tif 000004
(57)【要約】      （修正有）【課題】廃棄物が出ず、リサイクルが可能な肌洗い用具を提供する。【解決手段】弾性を有する熱可塑性のエラストマーを希望する形状に成型し、表面に針状体で穴をもうけて、本肌洗い用具をつくるので、廃棄物が出ない。表面に針状体で多数の穴をあけるので気泡を露出させた天然ゴム、合成ゴムに近い表面を作り出すことができる。また熱可塑性エラストマーでできているので熱で溶融することによりリサイクルが可能となる。【選択図】図３
0003152557.tif 000002
【実用新案登録請求の範囲】
【請求項１】
弾性を有する熱可塑性エラストマーを成型し、その表面に針状体により多数の穴をもうけた肌洗い用の用具
【考案の詳細な説明】
【技術分野】
【０００１】この考案は顔および体の皮膚の洗浄用に使用する用具に関する。
【背景技術】
【０００２】従来の洗浄用具には天然ゴムを発泡させたものや、合成ゴムを発泡させたものがある。
【考案の開示】
【考案が解決しようとする課題】
【０００３】天然ゴムを発泡させたり、合成ゴムを発泡させたものは、成型時に表面に皮状のものができ、この皮状のものを切削により切り落として発泡させた気泡の面を露出させて使用している。これにより外側の皮状のものが廃棄物となる。
【課題を解決するための手段】
【０００４】〔図１〕の弾性を有する熱可塑性エラストマーを成型して、形状をつくり、〔図２〕のように針状体により、表面に〔図３〕のように多数の穴をあける。
【考案の効果】
【０００５】最初から〔図１〕のような、希望する形状を成型によって作成できるので、切削によって出る廃棄物がなくなる。また表面に針状体で多数の穴をあけるので気泡を露出させた天然ゴム、合成ゴムに近い表面を作り出すことができる。
【実施例】
【０００６】〔図２〕のように針状体を熱可塑性エラストマーに圧力をかけて、穴をあけることもできるし、針状体に熱をかけることにより、熱可塑性エラストマーをとかして穴をあけることもできる。
【産業上の利用可能性】
【０００７】天然ゴムを発泡させたものや、合成ゴムを発泡させたものと違い、廃棄物が出ない。
また熱可塑性エラストマーでできているので熱で溶融することによりリサイクルが可能となる。
【図面の簡単な説明】
【０００８】
【図１】成型された熱可塑性エラストマー
【図２】針状体で成型された熱可塑性エラストマーに穴をもうける
【図３】本考案の表面に穴をもうけた熱可塑性エラストマーで成型された肌洗い用具
【図１】
0003152557.tif 000003
【図２】
0003152557.tif 000004
【図３】
0003152557.tif 000005
(57)【要約】      （修正有）【課題】かつらなどの形を崩すことが適切でない物品を、不使用時にその形を保持しつつ保管することが容易に可能になる携帯型かつら保持器を提供する。【解決手段】紙、ビニール、プラスティックおよび布などの軽量の部材を使用し、且つかつらを保持する形状として蛇腹の骨状の様式によって、球状、半球状、円錐状および円筒状など開いた状態での水平の断面が円形状になる構造を採用し、不使用時には蛇腹の骨を容易に折り畳むことによって占有容積を最小限とし携行を容易とした。【選択図】図１
0003152560.tif 000002
【実用新案登録請求の範囲】
【請求項１】
かつらなど形を崩すことが適切でない物品を、不使用時に型崩れを起こさないように保持し、保管するための器具を、紙、ビニール、プラスティックおよび布など軽量化された部材で製作された蛇腹の骨様の形で構成し、折り畳むことを可能にすると共に、かつらを整形するための用具である櫛を収納する部材を具備した、必要とする容積を最小化し持ち運びを容易にすることを特徴とする携帯型かつら保持器。
【考案の詳細な説明】
【技術分野】
【０００１】本考案は、かつらなど形を崩すことが適切でない物品を、不使用時に型崩れを起こさないように保持し、保管するための器具を、紙、ビニール、プラスティックおよび布などで製作された蛇腹の骨様の形で構成し、人頭形、球状、半球状および円筒状など開いた状態での水平の断面が円形状になる構造を採用し、不使用時には蛇腹の骨を容易に折り畳むことを可能にすると共に、かつらを整形するための用具である櫛を収納する部材を具備した、必要とする容積を最小化し持ち運びを容易にすることを特徴とする携帯型かつら保持器。
【背景技術】
【０００２】かつらなど形を崩すことが適切でない物品を保持する器具を、紙、ビニール、プラスティックおよび布などを使用することにより軽量化し、且つ折り畳みを可能として、器具の携行を容易にする技術に関するものである。
【考案の開示】
【考案が解決しようとする課題】
【０００３】従来、一般的にかつらなど形を崩すことが適切でない物品は、不使用時に保管する収納容器が比較的大型且つ重量が重いために、かつらなどの使用者が、旅行などによりかつらなどを常時保管する場所から離れた場合には、収納容器を携行することが容易ではなく、その結果容器を使用しないことにより、かつらなどが不使用時には適切に保持されずに保管され、その結果型崩れなどが発生し、使用する際の整形に時間を要することやかつらの耐用使用期間の減少を引き起こしており、不経済である。
【課題を解決するための手段】
【０００４】上記課題を解決するため、本考案の請求項１に記載の携帯型かつら保持器は、紙、ビニール、プラスティックおよび布などの軽量の部材を使用し、且つかつらを保持する形状として蛇腹の骨状の様式によって、人頭形、球状、半球状および円筒状など開いた状態での水平の断面が円形状になる構造を採用し、不使用時には蛇腹の骨を容易に折り畳むことによって占有容積を最小限とし携行を容易とした。
【考案の効果】
【０００５】本考案による携帯型かつら保持器を携行することにより、かつらなど形を崩すことが適切でない物品を、旅行など不使用時にその形を保持しつつ保管することが容易に可能となり、型崩れなどが発生せず、使用する際の整形に時間を要することを減少させ、かつらなど形を崩すことが適切でない物品の耐用使用期間の減少を防ぐことが可能となり、経済性を増加せしめた。
【実施例】
【０００６】本考案のかつら収納容器を、図面に示す具体的な実施例にもとづいて説明する。【０００７】図１から図４に示す本考案による携帯型かつら保持器は、部材（１）に比較的硬い紙あるいはプラスティックなどを使用し、部材（２）には比較的薄い軽量な紙あるいはプラスティックなどを使用する。部材（３）および部材（３´）はマジックテープと呼ばれる部材で、保持器を開いた際にそれぞれ位置的に対応する部材（３）および部材（３´）を接合することにより保持器が開いた状態を保持することとなる。部材（３）および部材（３´）は、磁気を利用したマグネット・テープも使用可能である。部材（４）は部材（１）および部材（２）をそれぞれの一端で接着し、保持器を一体化するために使用される。部材（５）は、かつらを整形するために使用される櫛を保管するためのビニールなどで作成されている容器であり、部材（１）に貼り付けてある。
【図面の簡単な説明】
【０００８】
【図１】図１は、本考案による携帯型かつら保持器の開いたときの形状を人頭形としている、携行時の閉じた状態の正面図である。
【図２】図２は、図１にある二点鎖線での断面図である。
【図３】図３は、図１にある保持器の開いた状態での正面図である。
【図４】図４は、図３にある二点鎖線での断面図である。
【符号の説明】
【０００９】１  比較的硬い紙あるいはプラスティックなどによる携帯型かつら保持器の外側の骨格を形成する部材
２  比較的軽量な紙あるいはプラスティクなどを使用し、部材（１）と共に携帯型かつら保持器の骨格を形成する部材
３および３´  マジックテープあるいはマグネット・テープなどであり、かつら保持時に、両端の部材（１）同士を接合するとともに、折り畳む際には接合を容易に解除できるための部材。
４  部材（１）および部材（２）を一端で接合し、保持器を一体化するための部材で、材質は接着剤を貼付した硬質の紙、ビニールあるいは布のテープが使用される。
５  部材（１）の片方に貼り付けられている、かつらなどを整形するのに使用される櫛を格納する袋状の保管容器。
【図１】
0003152560.tif 000003
【図２】
0003152560.tif 000004
【図３】
0003152560.tif 000005
【図４】
0003152560.tif 000006
(57)【要約】      （修正有）【課題】別途ネジ穴を開ける工事が不要で、ネジ用ドライバーだけの手作業で揺動規制が簡単にでき、有効開口を狭めたり通行の障害になることもなく、美観を損なうこともない揺動規制部材を提供する。【解決手段】揺動規制部材は帯状の部材を幅方向にＬ字状に折り曲げた形状とし、Ｌ字状の一面は開口部の縦一側に取付けられた扉取付部材のネジ穴と同じ位置にネジ穴を設け、扉取付部材に使用するネジと同じネジで扉取付部材と一体として開口部の縦一側に締結固定させ、他面を扉に当接させ扉の片方向の揺動を規制する。これにより、両方向に揺動して開く扉を片方向のみに揺動して開く扉に、ネジ用ドライバーだけで簡単に変更できる。【選択図】図２
0003152548.tif 000002
【実用新案登録請求の範囲】
【請求項１】
開口部の縦一側に扉取付部材により揺動自在に取付けられた扉の揺動を規制する部材であって、扉が開口部の両方向に揺動して開くのを規制し開口部の片方向にのみ揺動して開くようにする揺動規制部材で、揺動規制部材は帯状部材を幅方向にＬ字状に折り曲げた形状であって、Ｌ字状の一面は開口部の縦一側に取付けられた扉取付部材のネジ穴と同じ位置にネジ穴を設け、同じネジで扉取付部材と一体として締結固定させ、他面は扉の取付け側に当接させ扉の片方向の揺動を規制し、両方向に揺動して開く扉を片方向のみに揺動して開く扉に、簡単かつ自在にネジ用ドライバーによる手作業だけで変更できることを特徴とする扉の揺動規制部材。
【考案の詳細な説明】
【技術分野】
【０００１】  本考案は、開口部の縦一側に扉取付部材により揺動自在に取付けられた扉の揺動を規制する揺動規制部材に関する。
【背景技術】
【０００２】  従来、前記の揺動自在に取付けられた扉の揺動を規制するため、揺動規制部材を開口部の上部や扉取付部材が取付けられた側と反対の側部、床部などに取付け扉に当接さるものはある。
【考案の開示】
【考案が解決しようとする課題】
【０００３】  以上に述べた従来の扉の揺動を規制するための揺動規制部材は、開口部に別途ネジ穴を開けたり溶接をしたりする工事が必要であり、さらに揺動規制部材が開口部の有効開口を狭めたり通行の障害にもなり、又美観も低下させるものであった。
【課題を解決するための手段】
【０００４】  本考案の揺動規制部材は帯状の部材を幅方向にＬ字状に折り曲げた形状とし、Ｌ字状の一面は開口部の縦一側に取付けられた扉取付部材のネジ穴と同じ位置にネジ穴を設け、扉取付部材に使用するネジと同じネジで扉取付部材と一体として開口部の縦一側に締結固定させ、他面を扉に当接させ扉の片方向の揺動を規制することにより、両方向に揺動して開く扉を片方向のみに揺動して開く扉に変更できるようにしたものである。
【考案の効果】
【０００５】  本考案の揺動規制部材は、扉取付具のネジ穴と同じ位置にネジ穴を設け、扉取付具と同じネジで一体として開口部の縦一側に締結固定しているので、別途ネジ穴を開けたり溶接をしたりする工事が不要である。【０００６】  揺動規制部材の取付は、ネジの取外し及び取付け作業だけなので、扉の取付工事終了後でも両方向に揺動して開く扉を片方向のみに揺動して開く扉に変更でき、また片方向に揺動して開くようにした扉を両方向に揺動して開く扉に戻したりすることが、ネジ用ドライバーだけの手作業で簡単にできる。【０００７】  揺動規制部材の取付場所は、開口部の扉回転軸より枠側の有効開口部外に扉取付部材と一体として締結固定するので、揺動規制部材が開口部の有効口を狭めたり通行の障害になることもなく、さらに取付け場所が扉の引手側なので美観を損なうこともない。
【考案を実施するための最良の形態】
【０００８】  以下、図を参照しながら本考案の実施形態を説明する。【０００９】  図１は、例として揺動扉の上部扉取付部材１に、上部揺動規制部材２を一体として締結固定した状態を示す。【００１０】  図２は、例として揺動扉の下部扉取付部材４に、下部揺動規制部材５を一体として締結固定した状態を示す。
【産業上の利用可能性】
【００１１】  上述したように本考案の揺動する扉の揺動規制部材は、別途ネジ穴を開ける工事が不要で、ネジ用ドライバーだけの手作業で揺動規制が簡単にでき、有効開口を狭めたり通行の障害になることもなく、美観を損なうこともない揺動規制部材を提供できる。
【図面の簡単な説明】
【００１２】
【図１】  本考案の実施形態を示す揺動扉の上部扉取付部材１に上部揺動規制部材２を締結固定した図
【図２】  同揺動扉の下部扉取付部材４に下部揺動規制部材５を締結固定した図
【符号の説明】
【００１３】１  上部扉取付部材
２  上部揺動規制部材
３  ネジ
４  下部扉取付部材
５  下部揺動規制部材
【図１】
0003152548.tif 000003
【図２】
0003152548.tif 000004
(57)【要約】      （修正有）【課題】伸縮性の素材でなくても、又サイズを大きく作らなくても、足を動かしやすくした自転車やバイクに乗る時の着用下衣を提供する。【解決手段】パンツを主に構成する２枚のパターンのうち一枚を、膝を曲げた状態で作り、もう一枚を、膝を伸ばした状態で作り、さらに縫い線をヒップに移動してパターン上でヒップの丸みを作り、足を曲げて、腰を前に曲げた時に必要な距離を稼ぎ、曲げた時のテンションを和らげる運動量として加味され、自転車やバイクに乗る時の足の動きがよりスムーズになるようにして構成する。【選択図】図２
0003152521.tif 000002
【実用新案登録請求の範囲】
【請求項１】
自転車やバイクに乗る際に、足が動かしやすい下衣。
【考案の詳細な説明】
【技術分野】
【０００１】
本考案は、自転車やバイクに乗る時に、足が動かしやすいパンツに関するものである。
【背景技術】
【０００２】
従来の自転車用やバイク用のパンツは、素材がストレッチであるか、最初から膝を曲げた状態を固定的に設定するか、膝の運動量をダーツやタックで取っている。
【考案の概要】
【考案が解決しようとする課題】
【０００３】
ストレッチ素材でなくも、タックやダーツを取らなくても、もっとスムーズに動きやすいパンツを作ることを目的とする。
【課題を解決するための手段】
【０００４】
本考案は、パンツを主に構成する２枚のパターンのうち一枚を、膝を曲げた状
状態で作り、もう一枚を、膝を伸ばした状態で作り、さらに縫い線をヒップに移
動してパターン上でヒップの丸みを作り、足を曲げて、腰を前に曲げた時に必要
な距離を稼ぎ、曲げた時のテンションを和らげる運動量として加味され、自転車
やバイクに乗る時の足の動きがよりスムーズになるように課題を解決している。
【考案の効果】
【０００５】
運動量が加味されているために、同素材の同じサイズのパンツを穿いた時に大きくさえ感じる程で、足の屈伸に抵抗も少ないために、伸縮性のない素材でも、自転車用パンツが可能になる。
【図面の簡単な説明】
【０００６】
【図１】従来のパンツの半身パターン
【図２】サイクル  パンツの半身パターン
【図３】従来のパンツ  着用時の見え方
【図４】サイクル  パンツ  着用時の見え方
【考案を実施するための形態】
【０００７】
パンツの前身部分のパターンを少し外脇側に振って、立ち姿の膝を伸ばした状態での立体パターンを作り、パンツの後身パターンを内股側に振って、膝を曲げた状態の立体パターンを作り、その２枚を縫い合わせることによって、膝の曲げ伸ばしがスムーズにできる機能が生まれる。
【実施例】
【０００８】
以下、添付図面に従って実施例を説明する。図1の従来のパンツの後身と、図２の後身を比較すれば分かるように、足が曲がった状態のパターンで、通常よりも縫線をヒップラインに近づけて、ヒップラインに沿って、立体的に丸みを持たせ、かつ後身のライズを深くすることによって、腿をあげて腰を曲げた状態で必要となる距離を稼いだ後身のパターンを作る。
【０００９】
図２の後身のＡ部分のカーブが、通常と逆にすることによって、座った時にヒップから股下にかけての後身パターン上のゆとりが、テンションのかかる膝方向に、押出してくれるので、それも膝を曲げ易い理由の一つである。
【００１０】
図1と図２の前身を比較すると、ともに足を伸ばした状態のパターンではあるが、図２の前身Ｃの小股始点のように、通常の図１の前身Ｃの小股始点より前に移動し、そこから膝に向かうラインで前身パターンを作り、前身後身のバイアスとカーブで、膝を曲げた時に股下から膝にかけてかかるテンションを、和らげている。      
【００１１】
膝下の部分は、後身との縫い合わせた時に、後ろに引っ張られることによって、地の目とクリーズラインは、図３の従来のパンツのようではなく、図４のように、一致しないが、設定の違う前身と後身を縫い合わせることによって、膝の曲げ伸ばしを、よりスムーズに動かすことができる。
【００１２】
図２のBの縫い線も従来よりも後ろに移動し、ヒップの丸みを立体的に前身と後身で作ることによって、立ち姿のきれいな形を作るだけでなく、その丸みが、腰を曲げて腿を引き上げた時に必要な距離も稼いでくれる。
【００１３】
前身と後身の全体設定や形状が従来と全く違うために、図４のように、パターンからは想像できない見え方をするのは、単純な縫線移動のデザイン線ではなく、別の方向を向いたアールの違うカーブを縫い合わせることによって、生まれた機能線であり、地の目とクリーズラインも機能的にずらすことによって、さらにペダルを動かす運動機能を増している。
【産業上の利用可能性】
【００１４】
本考案は、自転車やバイクのみならず、ウォーキングやランニングや梯子を登る際など、足を上げたり下げたりする運動や作業をする際の有効着用下衣としての広がりの可能性も有している。
【符号の説明】
【００１５】
Ａ  内股部分の縫い線
Ｂ  ヒップの縫い線
Ｃ  小股始点
【図１】
0003152521.tif 000003
【図２】
0003152521.tif 000004
【図３】
0003152521.tif 000005
【図４】
0003152521.tif 000006
【手続補正書】
【提出日】平成21年5月28日(2009.5.28)
【手続補正１】
【補正対象書類名】実用新案登録請求の範囲
【補正対象項目名】全文
【補正方法】変更
【補正の内容】
【実用新案登録請求の範囲】
【請求項１】
膝を曲げた状態で通常より少し内股側に振った後身パターンと膝を伸ばした状態で通常より少し外脇側に振った前身パターンから、バイヤスとカーブを使用することによって一つの立体パターンを形成し、縫い合せることによって、自転車やバイクに乗る際に、足がスムーズに動くように設計され、運動量も加味された機能的立体裁断パンツ。
(57)【要約】      （修正有）【課題】宅配便の荷物などのサイズを計測する場合に、直方体の各辺の長さを簡単に計測できるメジャーを提供する。【解決手段】可燒性テープと、前記可燒性テープに目盛りを設け、前記可燒性テープの幅方向に折り曲げて構成する。荷物の形状に合わせて立体形状の外周の長さを計測するもので、直方体の角を回り込んでもずれにくく、なおかつ簡単、正確に計測できる。【選択図】図１
0003152528.tif 000002
【実用新案登録請求の範囲】
【請求項１】
可撓性テープと、前記可撓性テープに目盛りを設け、前記可撓性テープの幅方向に折り曲げて構成したことを特徴とするメジャー。
【請求項２】
折り曲げをＬ字に構成したことを特徴とする請求項１記載のメジャー。
【請求項３】
折り曲げを伸ばして平面状にするか又は２つ折りにして平面状にして収納することを特徴とする請求項１記載のメジャー。
【考案の詳細な説明】
【技術分野】
【０００１】
本発明は、荷物等の長さを計測するメジャーに関するものである。
【背景技術】
【０００２】
従来の計測メジャーはリボン状のもので測定物の角の3辺の長さを測るには
メジャーがずれたりする為不具合がある。辺から辺をそれぞれ別々に計測するのも
作業上の能率が悪い。
【先行技術文献】
【特許文献】
【０００３】
【特許文献１】特開平１１−３０４４０１号公報
【考案の概要】
【考案が解決しようとする課題】
【０００４】
解決しようとする問題点は、宅配便の荷物などのサイズを計測する場合、三辺をそれぞれ測らなければならない作業上の不具合があった。
【課題を解決するための手段】
【０００５】
可撓性テープと、前記可撓性テープに目盛りを設け、前記可撓性テープの幅方向に折り曲げて構成し、荷物の形状に合わせて立体形状の外周の長さを計測するもので、直方体の角を回り込んでもずれにくく、なおかつ簡単、正確に計測できる。
【考案の効果】
【０００６】
目盛りの付いた可撓性テープを折り曲げて、立体形状に沿わせて長さを計測できるので、メジャーのずれがなく、簡単にかつ正確に長さを計測することができ作業能率が向上する。
【図面の簡単な説明】
【０００７】
【図１】本考案の実施例を示す構成図。
【図２】本考案の実施例の折りたたみを示した図。
【図３】本考案の実施例の収納時の形態を示した図。
【図４】本考案の実施例の先端を示した図。
【図５】本考案の実施例の使用状態を示した図。
【図６】本考案の実施例の使用状態の詳細を示した図。
【考案を実施するための形態】
【０００８】
本考案の実施例の構成を図に基づいて説明する。
本製品は、リボン状の計測メジャーの形状を変化さしたもので、図１に示すように可撓性テープ１を折り曲げ、Ｌ型に加工したものである。テープには長さを測定できるメモリ２を有し、長さ計測用メジャーとする。Ｌ型に折り曲げた可撓性テープ１をさらに折り曲げて図２に示すように二つ折りの状態にし、図３に示すように巻き取って収納ケース３に収納することもでき、従来の巻尺としての使用も兼ね備えている。又、収納ケース３を要しない計測メジャー単体としても使用可能である。Ｌ型可撓性テープ１の先端には図４に示すように、折りたためる扇状のストッパー４を有し、先端部分を測定物に固定でき、より作業上の効率を向上させる。図１に示すように、可撓性テープ１の裏面１ａには楯状に滑り止めの凹凸を設け、測定物とのずれを防止する。
次ぎに使用法を説明する。
図５に示すように、宅配荷物などの段ボール箱５において、多角立方体の三辺であるＡ点からＢ点・Ｃ点を介してＤ点までの計測をする場合、従来のリボン状の計測メジャーではＢ点およびＣ点においてずれが生じるため、作業にはある程度の技術を要する。又は各辺をそれぞれ個別に測る為作業能率の不具合がある。この問題を解消するのが本発明で計測メジャーの特徴であるＬ型加工計測テープと、先端部分ストッパーがＡ点の角の部分に密着しずれを防止する。又図６に示すように、Ｂ点のかどではＬ型の下の部分が回りこみ、Ｃ点では逆に上の部分が回りこみ、Ｄ点までの長さが計測できる。さらに裏面の滑り止め加工の効果と共に、ずれ難く簡単正確に計測できる。
次ぎに収納状態について述べる。
このＬ型可撓性テープ１を更に折り曲げて２つ折りの状態にする。このとき図４に示すようにストッパー４は中央部の破線で折れまがる。このように２つ折りにしたストッパー４と可撓性テープ１とを巻き取って図３に示すように収納ケース３に巻き取ることが出来る。
【産業上の利用可能性】
【０００９】
各宅配便ドライバーや宅配便取次店、及びインターネット通販などの便利性効果で一般消費者や製造者にも普及する可能性があると思われます。
【符号の説明】
【００１０】
１  可撓性テープ
２  メモリ
３  収納ケース
４  ストッパー
【図１】
0003152528.tif 000003
【図２】
0003152528.tif 000004
【図５】
0003152528.tif 000005
【図６】
0003152528.tif 000006
【図３】
0003152528.tif 000007
【図４】
0003152528.tif 000008
【手続補正書】
【提出日】平成21年6月5日(2009.6.5)
【手続補正１】
【補正対象書類名】図面
【補正対象項目名】図５
【補正方法】変更
【補正の内容】
【図５】
0003152528.tif 000009
(57)【要約】      （修正有）【課題】畑や庭先等の狭い株間や硬い土の場所でも簡単に草取りが出来る草取りリングを提供する。【解決手段】断面が逆Ｕ字状の背軸金具の一端をくちばし状に形成した爪の部部１と、背軸金具のＵ字と反対側方向にカールさせた指輪２を両端に設けたことを特徴とする。【選択図】図４
0003152524.tif 000002
【実用新案登録請求の範囲】
【請求項１】
断面が逆Ｕ字状背軸金具とこの背軸金具の一端をくちばし状に形成した爪の部分と、前記背軸金具のＵ字と反対側方向にカールさせた指輪を両側に設けた、草取りリング。
【考案の詳細な説明】
【技術分野】
【０００１】本考案は、草取り用の器具に関するものである。
【背景技術】
【０００２】過去に、指に装着する草取り器具として、特許公開された物がある。
【先行技術文献】
【特許文献１】特開平  １１−１１３３０３号広報
【特許文献２】特開  ２００３−１７４８０２号広報
【考案の概要】
【考案が解決しようとする課題】
【０００３】しかし、上記の広報に示されたものは一本指に付けた物では少し硬い土の所では指に力が入り難く、又リングが回り草を掴むのが難しいのと、狭い株間の草を株に傷を付けないで掴み抜くことが困難である、これらを解決することを目的とする。
【課題を解決するための手段】
【０００４】この考案の草取りリングは、断面が逆Ｕ字状背軸金具の一端をくちばし状に形成した爪の部分と、この爪の他端側に上記Ｕ字と反対側にカールした指輪を両側に設けたものである。
【考案の効果】
【０００５】本考案により、他の草取りに比べ手軽に作業ができ、小さい割には硬い土のところでも対応できるし、野菜の株根の間の草も株値を傷つけずに抜き取ることが出来る、又指先でリングが回ることも抜け落ちることも無くなる、尚、物が小さく衣服のポケットに入れて持運ぶことも可能である、そして、このリングを嵌めた指二本と親指を使って草を掴み抜くことが出来る。
【図面の簡単な説明】
【０００６】
【図１】本考案の平面図である。
【図２】本考案の側面図である。
【図３】本考案の正面図である。
【図４】本考案の選択図である。
【考案を実施するための形態】
【０００７】本考案の草取りリングは金属板からなり、断面がＵ字形の背軸３を中心にして背軸３のＵ字とは反対方向にカールさせた指輪２を両側に形成している、そして背軸３の一端はくちばし状に湾曲させた爪部分１が設けられている。
【０００８】爪の部分１は土の中に立ち込むために厚みは薄く巾は５ｍｍ程度長さ３ｃｍ位で土の中に立ち込む爪の部分です、先端は薄く根元に向かって巾を持ち少し湾曲することで草が掴みよくなり、湾曲するために逆Ｕ字形の鉄板を内側に折り込むことで爪の強度を増すことが出来る。
【０００９】指輪２はＷ形を丸くした筒状で人差し指、中指を挿入し指の第二関節ぐらいの長さ３ｃｍ位が草を掴むのに最良です。指輪２の間の開いた部分４を絞ったり開いたりすることで指の太さに合わせて調整できる最良の形で、親指と合わせることで指三本が使用出来るので力強く草取りできる。
【００１０】背軸３は両側人差し指と中指の間を少し開くことでリングが安定し、下向きに断面をＵ字にすることで全体の強度が増し、草を掴む上での引っ掛かりとなる形です。
【００１１】上記の説明では背軸３と指輪２を一枚の金属板で形成しているが、これを別体にして、鋲カシメ、溶接等で合体させても良い。
【００１２】本考案の草取りリングは利用範囲が広く、農業、園芸、その他庭先の草取り等の作業に手軽に持ち歩くことが出来る、又制作に費用がかからない、制作が簡単等の利点もあり便利である。
【符号説明】
【００１３】１    爪の部分
２    指輪
３    背軸
４    指輪の開いた部分
【図１】
0003152524.tif 000003
【図２】
0003152524.tif 000004
【図３】
0003152524.tif 000005
【図４】
0003152524.tif 000006
(57)【要約】      （修正有）【課題】省電力型蛍光灯の蛍光管が従来の蛍光管より細いので、強度が弱いため、外れ防止と落下防止の必要があり、強度の振動をあたえても、外れることがなく、また外れても落下することがない落下防止用器具を提供する。【解決手段】従来省電力型蛍光灯２の蛍光管が従来の蛍光管より細いので、強度が弱いため、外れ防止と落下防止の必要があり、本器具を使用したときは、強度の振動をあたえても、外れること、また外れても落下することがなく、破損することのないため、省電力型蛍光灯支持具１に縁を内側に曲げ、透明で強度のある合成樹脂等適宣素材で、縁と蛍光管と縁をブリッジすることで、省電力型蛍光灯外れ防止と落下防止を実現する。【選択図】図１
0003152515.tif 000002
【実用新案登録請求の範囲】
【請求項１】
本考案は従来の蛍光灯より、省電力型の蛍光灯は直径の細い蛍光管であるため、強い振動を受けると、蛍光灯が取り付け器具から外れる危険があり、外れたり落下しないため、省電力型蛍光灯支持具に縁を内側に曲げ、透明で強度のある合成樹脂等適宣素材で、縁と蛍光管と縁をブリッジすることで、省電力型蛍光灯外れ防止と落下防止用器具。
【考案の詳細な説明】
【技術分野】
【０００１】
本考案は省電力型蛍光灯落下防止用器具である。
【背景技術】
【０００２】
省電力型蛍光灯は蛍光管が従来の蛍光管より細いので、強度が弱いため、外れ防止と落下防止用器具を取り付ける必要がある。
【考案の開示】
【考案が解決しようとする課題】
【０００３】
省電力型蛍光灯は蛍光管が従来の蛍光管より細いので、強度が弱いため、外れ防止と落下防止の必要があり、これを解決しようとする課題とする。
【課題を解決するための手段】
【０００４】
本考案は省電力型蛍光灯の蛍光管が従来の蛍光管より細いので、強度が弱いため、外れ防止と落下防止の必要があり、課題を解決するための手段とする。
【考案の効果】
【０００５】
上述のように本考案は、省電力型蛍光灯の蛍光管が従来の蛍光管より細いので、強度が弱いため、外れ防止と落下防止の必要があり、本考案を使用したときは、強度の振動をあたえても、外れること、また外れても落下することがなく、本考案の効果があった。
【考案を実施するための最良の形態】
【０００６】
本考案は、省電力型蛍光灯取り付け機器に簡単に取り付けられることが出きる、また危険の場所では数を増減できるので、実施するための最良の形態をえた。
【実施例】
【０００７】
図面に従って、以下添付実施例を説明する、１は省電力型蛍光灯取り付け機器、１ａは本案の３を支える縁である、２は省電力型蛍光灯省電力型蛍光灯。
【０００８】
３は透明で強度のある合成樹脂等適宣素材で、縁と蛍光管と縁をブリッジする、省電力型蛍光灯外れ防止と落下防止用器具。
【図面の簡単な説明】
【０００９】
【図１】省電力型蛍光灯外れ防止と落下防止用器具正面図
【図２】省電力型蛍光灯外れ防止と落下防止底面図
【符号の説明】
【００１０】
１    省電力型蛍光灯支持具
２    省電力型蛍光灯
３    蛍光灯外れ防止と落下防止用器具
【図１】
0003152515.tif 000003
【図２】
0003152515.tif 000004
【手続補正書】
【提出日】平成21年6月3日(2009.6.3)
【手続補正１】
【補正対象書類名】実用新案登録請求の範囲
【補正対象項目名】全文
【補正方法】変更
【補正の内容】
【実用新案登録請求の範囲】
【請求項１】
省電力型蛍光灯支持具の長手方向の両縁を内側に曲げ、透明で強度のある合成樹脂等適宣素材で形成した器具を、蛍光灯の管を下方から保持する様に支持具の曲げた溝を挟み込むことを特徴とする省電力型蛍光灯外れ防止と落下防止用器具。